(57)【特許請求の範囲】
【請求項１】
発光素子を有する複数の表示画素を備える表示パネルと、
前記表示パネルの表示領域の光出射面側に配置され、その透過率が入射する光の波長により異なる第１の偏光板と、
前記第１の偏光板の前記光出射面側に配置された第１の位相差板と、
前記位相差板の前記光出射面側に配置され、その透過率が入射する光の波長により異なる第２の偏光板と、
前記第１の偏光板の透過軸に対する前記第２の偏光板の透過軸の角度を変更可能として表示色を変更可能とする表示色変更部と、
を備える、ことを特徴とする表示装置。
【請求項２】
前記表示装置は、さらに、前記表示パネルと前記第１の偏光板との間に配置された第２の位相差板を備え、
前記第２の位相差板は位相差が入射光の波長の１／４となるλ／４板であり、該第２の位相差板と前記第１の偏光板とで円偏光板を構成する、ことを特徴とする請求項１に記載の表示装置。
【請求項３】
前記表示色変更部は、前記第１の位相差板の進相軸に対する前記第２の偏光板の透過軸の角度を所定の値に維持しながら、前記第１の偏光板の透過軸に対する前記第２の偏光板の透過軸の角度を変更可能とすることを特徴とする請求項１または２に記載の表示装置。
【請求項４】
前記表示色変更部は、前記第２の偏光板と前記第１の位相差板とを前記第１の偏光板に対して回転可能とすることにより、前記第１の偏光板の透過軸に対する前記第２の偏光板の透過軸の角度を変更可能とする、ことを特徴とする請求項１乃至３のいずれか１項に記載の表示装置。
【請求項５】
前記第１の位相差板と前記第２の偏光板とは貼り合わせられており、
前記表示色変更部は、前記第２の偏光板を前記第１の偏光板に対して回転可能とすることにより前記第１の位相差板を前記第１の偏光板に対して回転可能とする、ことを特徴とする請求項１乃至４のいずれか１項に記載の表示装置。
【請求項６】
前記表示色変更部は、前記第１の偏光板を前記第２の偏光板に対して回転可能とすることにより、前記第１の偏光板の透過軸に対する前記第２の偏光板の透過軸の角度を変更可能とする、ことを特徴とする請求項１または２に記載の表示装置。
【請求項７】
前記表示色変更部は、前記第１の偏光板または前記第２の偏光板の少なくとも一方を回転可能な回転機構を備える、ことを特徴とする請求項１乃至６のいずれか１項に記載の表示装置。
【請求項８】
前記発光素子は、発光する光の波長分布が白色となる発光材料を有するものである、ことを特徴とする請求項１乃至７のいずれか１項に記載の表示装置。
【請求項９】
前記発光素子は、有機エレクトロルミネッセンス素子であることを特徴とする請求項１乃至８のいずれか１項に記載の表示装置。
【発明の詳細な説明】
【技術分野】
【０００１】
本発明は、表示装置に関し、詳しくは、発光素子を有する複数の表示画素を備える表示パネルを用いた表示装置に関する。
【背景技術】
【０００２】
発光素子を有する複数の表示画素を備える表示パネル、例えば、発光素子として有機ＥＬ（Electro Luminescence）素子を用いた表示装置は、上下の電極間に有機ＥＬ材料からなる発光層を挟持して形成された有機ＥＬ素子による発光素子を有する表示画素が基板上に複数配設されて形成されている。このような有機ＥＬ素子による表示パネルでは、一般に、陽極がＩＴＯ等の透明導電性材料で形成され、陰極がＡｌ等の金属材料で形成されている。そして、発光層からの光を陰極で反射させるとともに、陽極から出射させて画像表示を行う構成となっている。
【０００３】
一方、このような表示パネルでは、太陽光などの外光が陽極から入射されると、その外光が金属材料からなる陰極で反射してしまうため、視認側から見ると非発光部分の陰極電極が鏡面のように光って見え、発光部分の画像のコントラストが低下してしまうという問題がある。
【０００４】
かかる問題を解決するため、有機ＥＬ素子による表示パネルの視認側表面に位相差板と偏光板とを配置し、表示パネル表面での反射光を視認側から見えないようにする表示装置が提案されている（例えば、特許文献１参照）。これにより発光部分のコントラスト低下を抑えることができるが、表示パネルの表示色は発光素子の発光層に用いる材料の特性によって決定されていた。このような表示パネルでは、単色の表示画素のみを有して単色表示を行うもの、異なる色の表示素子を異なる領域に配置して部分的に異なる色を表示するエリアカラー表示を行うものや、フルカラー表示を行うものが知られている。フルカラー表示を行うものでは、ＲＧＢ３色で発光する表示画素を有して３色の表示画素の組み合わせによってフルカラー表示を行うもの、あるいは、白表示を行う発光素子上にＲＧＢ３色のカラーフィルタ層を形成して３色の組み合わせによってフルカラー表示を行うもの、などが知られている。
【特許文献１】特開平９−１２７８８５号公報
【発明の開示】
【発明が解決しようとする課題】
【０００５】
ところで、表示装置においては、用途によって表示色を変更することが要求される場合がある。しかし、エリアカラー表示では発光する色が固定されていて、発光する色を変えることはできなかった。また、フルカラー表示では、ＲＧＢ３色の表示画素の組み合わせにより、駆動によって表示色を変えることはできるが、ＲＧＢ３色の表示画素を形成する必要があり、構造が複雑となって製造工程が複雑になり、低コスト化を図ることが難しい。
【０００６】
本発明は、上記問題に鑑みてなされたものであり、発光素子を有する複数の表示画素を備える表示パネルを用いた表示装置において、比較的簡単な構成で、表示色を変更可能とすることができる表示装置を提供することを目的とする。
【課題を解決するための手段】
【０００７】
上記目的を達成するため、本発明の表示装置は、
発光素子を有する複数の表示画素を備える表示パネルと、
前記表示パネルの表示領域の光出射面側に配置され、その透過率が入射する光の波長に応じて変化する第１の偏光板と、
前記第１の偏光板の前記光出射面側に配置された第１の位相差板と、
前記位相差板の前記光出射面側に配置され、その透過率が入射する光の波長に応じて変化する第２の偏光板と、
前記第１の偏光板の透過軸に対する前記第２の偏光板の透過軸の角度を変更可能として表示色を変更可能とする表示色変更部と、
を備える、ことを特徴とする。
【０００８】
前記表示装置は、さらに、前記表示パネルと前記第１の偏光板との間に配置された第２の位相差板を備えてもよい。この場合、前記第２の位相差板は、例えば、位相差が入射光の波長の１／４となるλ／４板であり、該第２の位相差板と前記第１の偏光板とで円偏光板を構成する。
【０００９】
前記表示色変更部は、前記第１の位相差板の進相軸に対する前記第２の偏光板の透過軸の角度を所定の値に維持しながら、前記第１の偏光板の透過軸に対する前記第２の偏光板の透過軸の角度を変更可能としてもよい。
【００１０】
前記表示色変更部は、前記第２の偏光板と前記第１の位相差板とを前記第１の偏光板に対して回転可能とすることにより、前記第１の偏光板の透過軸に対する前記第２の偏光板の透過軸の角度を変更可能としてもよい。
【００１１】
前記第１の位相差板と前記第２の偏光板とは貼り合わせられていてもよい。この場合、前記表示色変更部は、前記第２の偏光板を前記第１の偏光板に対して回転可能とすることにより前記第１の位相差板を前記第１の偏光板に対して回転可能である。
【００１２】
前記表示色変更部は、前記第１の偏光板を前記第２の偏光板に対して回転可能とすることにより、前記第１の偏光板の透過軸に対する前記第２の偏光板の透過軸の角度を変更可能としてもよい。
【００１３】
前記表示色変更部は、前記第１の偏光板または前記第２の偏光板の少なくとも一方を回転可能な回転機構を備えてもよい。
【００１４】
前記発光素子は、発光する光の波長分布が白色となる発光材料を有するものであってもよい。
【００１５】
前記発光素子としては、例えば、有機エレクトロルミネッセンス素子がある。
【発明の効果】
【００１６】
本発明によれば、発光素子を有する複数の表示画素を備える表示パネルを用いた表示装置において、比較的簡単な構成で、表示色を変更可能とすることができる。
【発明を実施するための最良の形態】
【００１７】
以下、本発明の表示装置について、図面を参照して説明する。
【００１８】
（第１の実施の形態）
図１は、本発明の第１の実施の形態の表示装置の構成の概要を示す図であり、図２は、位相差板の波長と複屈折性との関係を示すグラフである。図１に示すように、表示装置１は、有機ＥＬ素子からなる表示パネル２と、第１の偏光板３と、第１の位相差板４と、第２の偏光板５と、を備えている。
【００１９】
表示パネル２は、発光素子としての有機ＥＬ素子を有する複数の表示画素を備えている。表示パネル２は、例えば、２枚の基板をシール材で封止し、この２枚の基板内に、電極や発光源である有機ＥＬ層等を積層した積層体から構成されている。表示パネル２は、例えば、第１の基板２１と、第１の電極２２と、有機ＥＬ層２３と、第２の電極２４と、第２の基板２５とを備えている。
【００２０】
第１の基板２１は、例えば、ガラス基板から構成されている。
第１の電極２２は、第１の基板２１上に形成されている。第１の電極２２は、有機ＥＬ層２３で生じた光を第２の電極２４側へ反射する機能を有する。第１の電極２２は、アルミニウム（Ａｌ）等の光反射性の金属膜から形成されている。なお、第１の電極２２は、Ａｌの他、金（Ａｕ）、銀（Ａｇ）、クロム（Ｃｒ）、銅（Ｃｕ）、ニッケル（Ｎｉ）等の金属材料、及びこれらの金属膜を複数積層した構造とすることもできる。
【００２１】
有機ＥＬ層２３は、第１の電極２２上に形成されている。有機ＥＬ層２３は、有機機能材料から構成され、例えば、正孔輸送層と発光層と電子輸送層とを備えている。
正孔輸送層は、第２の電極２４から発光層への電荷の注入効率を高めるとともに、発光層内を移動する電子をブロッキングする機能を有し、発光層内での電子と正孔との再結合確率を高める作用を奏する。正孔輸送層は、陽極からの注入障壁が低く、正孔移動度の高い材料、例えば、ポリチオフェン誘導体、ポリピロール誘導体等が用いられる。
発光層は、陽極と陰極との間に所定の電圧を印加することにより光を発生する機能を有する。発光層は、蛍光あるいは燐光を発光することが可能な公知の高分子発光材料、例えば、ポリフルオレン誘導体（ＰＦ）、ポリパラフェニレンビニレン誘導体（ＰＰＶ）等が用いられる。
電子輸送層は、第１の電極２２から発光層への電子注入効率を高めるとともに、正孔ブロッキング機能を有する。電子輸送層は、例えば、オキサジアゾール誘導体やＡｌｑ３等が用いられる。
【００２２】
第２の電極２４は、有機ＥＬ層２３上に形成されている。第２の電極２４は、ＩＴＯ（インジウム錫酸化物）等の透明導電膜から形成されている。なお、第２の電極２４は、一般にＩＴＯが用いられるが、これに限定されるものではなく、公知の透光性導電材料を用いてもよい。
第２の基板２５は、透明な材料からなる基板、例えば、ガラス基板から構成されている。
【００２３】
このように構成された表示パネル２は、第１の電極２２と第２の電極２４との間に所定の電圧を印加することで、有機ＥＬ層２３に流れる電流量に応じた光が発生する。そして、発生した光を第２の電極２４から直接的に、また第１の電極２２で反射された光を間接的に、第２の基板２５側から取り出される。この第２の基板２５の光が取り出される領域が情報を表示する表示領域を構成する。
【００２４】
第１の偏光板３は、表示パネル２の視認側に当たる第２の基板２５上に形成されている。第１の偏光板３は、入射する光のうち、透過軸方向の直線偏光のみを透過する。第１の偏光板３は、例えば、ポリビニルアルコール（ＰＶＡ）フィルムをヨウ素や染料等で染色し、一軸延伸して得られた偏光子を、トリアセテートフィルム等の支持体でラミネートした偏光フィルムなどが用いられる。
【００２５】
第１の位相差板４は、第１の偏光板３上に形成されている。第１の位相差板４は、進相軸方向の屈折率が遅相軸方向の屈折率より小さい、いわゆる複屈折性を有する。本実施の形態では、４００ｎｍ〜７００ｎｍの波長における複屈折性（Δｎ）が図２に示す関係を有する第１の位相差板４を用いている。このような第１の位相差板４では、図２に示すように、例えば、波長４５０ｎｍのときの複屈折性（Δｎ）は、０．１８１となる。第１の位相差板４は、例えば、ポリカーボネート（ＰＣ）、ポリビニルアルコール（ＰＶＡ）等の高分子材料からなるフィルムを一軸延伸して、延伸倍率によって延伸方向及びその直角方向の屈折率とフィルム厚を調整し、位相差値をコントロールした位相フィルムなどが用いられる。
【００２６】
第２の偏光板５は、第１の位相差板４上に形成されている。第２の偏光板５は、第１の偏光板３と同様に、透過軸方向の直線偏光のみを透過する。第２の偏光板５は、例えば、第１の偏光板３と同様に、ポリビニルアルコール（ＰＶＡ）フィルムをヨウ素や染料等で染色し、一軸延伸して得られた偏光子を、トリアセテートフィルム等の支持体でラミネートした偏光フィルムなどが用いられる。
【００２７】
第２の偏光板５は、例えば、略円板状に形成されて、第１の偏光板３の透過軸に対する第２の偏光板５の透過軸の角度が変更可能に構成されている。このため、例えば、図１に示すように、第１の偏光板３等よりも若干大きくなるように形成されて、その側面に後述するような第２の偏光板５の取り付け角度を変更可能とするための回転機構６が取り付けられるようにしてもよい。また、本実施の形態では、後述するように、第１の位相差板４と第２の偏光板５の角度を一定に保った状態で第１の偏光板３の透過軸に対する角度を変えるように構成されるため、例えば第１の位相差板４と第２の偏光板５とを貼り合わせるようにしてもよい。この場合、第１の位相差板４も第２の偏光板５と同様に略円板状に形成される。
【００２８】
図３は、第１の偏光板３と、第１の位相差板４と、第２の偏光板５との配置を説明するための図である。図３に示すように、第１の位相差板４と第２の偏光板５とは、第１の位相差板４の進相軸４１と第２の偏光板５の透過軸５１とが所定の角度βをなすように配置されている。本実施の形態では、第１の位相差板４の進相軸４１と第２の偏光板５の透過軸５１との角度βは一定であり、例えば、角度βが４５度となるように配置されている。
【００２９】
また、図３に示すように、第２の偏光板５と第１の偏光板３とは、第２の偏光板５の透過軸５１と第１の偏光板３の透過軸３１とが所定の角度αをなすように配置されている。ここで、第２の偏光板５が回転可能に構成されているので、第２の偏光板５を回転させることにより角度αが変化する。
【００３０】
次に、以上のように構成された表示装置１における表示色の変更について説明する。まず、第１の偏光板３、第１の位相差板４、及び、第２の偏光板５が、角度α＝４５度、及び、角度β＝４５度となるように配置されている状態の表示装置１の発光（表示色）について説明する。
【００３１】
表示パネル２の第１の電極２２と第２の電極２４との間に所定の電圧が印加されると、有機ＥＬ層２３に流れる電流量に応じて光が発生する。発生した光は、種々の波長及び種々の振動方向の光成分が混在しており、直接的に、または、第１の電極２２で反射して間接的に、表示パネル２上の第１の偏光板３に入射される。第１の偏光板３では、入射された光成分のうち、第１の偏光板３の透過軸３１方向の直線偏光のみを透過させることから、透過軸３１方向の光成分のみを通過し、第１の位相差板４に入射する。ここで、本実施の形態において、有機ＥＬ層２３の発光層に用いる材料としては、発光する光の波長分布（発光色）が白色（グレーに近い白色）となるものを用いることとする。
【００３２】
第１の偏光板３を通過した光が第１の位相差板４に入射されると、第１の位相差板４では楕円・円偏光が生じ、この偏光が第２の偏光板５に入射される。第２の偏光板５では、第１の偏光板３と同様に、透過軸５１方向の直線偏光のみを透過させることから、第２の偏光板５に入射された光のうち、透過軸５１方向の光成分のみが第２の偏光板５を通過し、この第２の偏光板５を透過した透過光の波長分布が表示装置１の表示色を決定する。
【００３３】
ここで、第１の偏光板３、第１の位相差板４及び第２の偏光板５を通した光の透過率は、その波長により異なる。このため、表示パネル２の表示色はこの透過率の波長分布に応じた色となる。例えば、透過光は、波長が４５０ｎｍ付近での透過率が高いと、表示装置１の表示色は青色（Ｂ）あるいは青色に近い色となり、５２０ｎｍ付近での透過率が高いと、表示装置１の表示色は緑色（Ｇ）あるいは緑色に近い色となり、６５０ｎｍ付近での透過率が高いと、表示装置１の表示色は赤色（Ｒ）あるいは赤色に近い色となる。
【００３４】
図４に、角度βを４５度で一定として、第１の位相差板４の厚さｄ＝２．７５μｍで、角度αの値を変化させた場合の波長と透過率との関係を示す。第２の偏光板５の透過軸５１と第１の偏光板３の透過軸３１との角度αを４５度に設定したとき、透過率の波長分布は各波長に対してほぼ均等な透過率となるため、第２の偏光板５を透過した透過光の波長分布は有機ＥＬ層２３から発光した光の波長分布とほぼ等しくなり、表示装置１の表示色は白色（グレーに近い白色）となる。
【００３５】
次に、第１の位相差板４及び第２の偏光板５の角度を変えて、第２の偏光板５の透過軸５１と第１の偏光板３の透過軸３１との角度αを０度に設定したとき、図４に示すように、４５０ｎｍ付近の波長の透過率が高くなる。これにより、表示装置１の表示色は概ね青色となる。
【００３６】
また、第１の位相差板４及び第２の偏光板５の角度を変えて、第２の偏光板５の透過軸５１と第１の偏光板３の透過軸３１との角度αが９０度となる位置に設定したとき、図４に示すように、６５０ｎｍ付近の波長の透過率が高くなる。これにより、表示装置１の表示色は概ね赤色となる。
【００３７】
また、図５に、第１の位相差板４の厚さｄ＝５μｍに変更し、角度β＝４５度で、角度αの値を変化させた場合の波長と透過率との関係を示す。図５に示すように、第２の偏光板５の透過軸５１と第１の偏光板３の透過軸３１との角度αが４５度の場合、前述の図４の場合と同様に、透過率の波長分布は各波長に対してほぼ均等な透過率となるため、表示装置１の表示色は、グレーに近い白色となる。
【００３８】
次に、第１の位相差板４及び第２の偏光板５の角度を変えて、第２の偏光板５の透過軸５１と第１の偏光板３の透過軸３１との角度αを０度に設定したとき、図５に示すように、４５０ｎｍ付近の波長の透過率、及び、６５０ｎｍ付近の波長の透過率が高くなる。これにより、表示装置１の表示色は概ね紫色になる。
【００３９】
また、第１の位相差板４及び第２の偏光板５の角度を変えて、第２の偏光板５の透過軸５１と第１の偏光板３の透過軸３１との角度αが９０度となる位置に設定したとき、図５に示すように、５２０ｎｍ付近の波長の透過率が高くなる。これにより、表示装置１の表示色は概ね緑色になる。
【００４０】
このように、表示装置１の第２の偏光板５（及び第１の位相差板４）を回転させ、第２の偏光板５の透過軸５１と第１の偏光板３の透過軸３１との角度αを変えることにより、表示装置１の表示色を容易に変更することができる。
【００４１】
次に、表示装置１の第２の偏光板５（及び第１の位相差板４）を所定の角度とするように回転させるための、具体的な構成の一例について説明する。本実施の形態では、表示装置１の第２の偏光板５に回転機構６を取り付け、回転機構６により、第２の偏光板５（及び第１の位相差板４）を自動的に回転させる場合について説明する。図６は、第２の偏光板５に回転機構６が取り付けられた状態を示す図である。
【００４２】
図６に示すように、回転機構６は、モータ６１と、第２の偏光板５の外周位置に配置された駆動ローラ６２と、第２の偏光板５の外周位置に配置された複数のガイドローラ６３と、回転位置検出センサ６４と、を備えている。モータ６１は、後述する制御部７に接続され、制御部７の指示に応じて駆動（モータ軸を回転）する。駆動ローラ６２は、モータ６１のモータ軸に接続され、モータ軸の回転に応じて回転し、第２の偏光板５を回転する。ガイドローラ６３は、回転された第２の偏光板５をガイドする。回転位置検出センサ６４は、第２の偏光板５の回転位置を検出するセンサである。回転位置検出センサ６４は、例えば、第２の偏光板５の回転距離を測定することにより、第２の偏光板５がどれだけ回転したかを検出する。そして、制御部７からの指示に応じて、モータ６１（モータ軸）が回転することにより駆動ローラ６２が回転し、これにより第２の偏光板５がガイドローラ６３にガイドされた状態で回転する。この第２の偏光板５の回転により、第２の偏光板５の透過軸５１方向が変化（回転）する。なお、本実施の形態では、第１の位相差板４と第２の偏光板５とが貼り合わされていることから、第１の位相差板４と第２の偏光板５とが一体になって回転する。
【００４３】
このように第２の偏光板５に回転機構６が取り付けられた表示装置１では、表示装置１に、装置各部の制御を行う制御部７が設けられている。この場合、制御部７は、表示装置１の表示色の変更を行う表示色変更部として機能する。図７に制御部７の構成を示す。図７に示すように、制御部７は、入力部８と、電極部９と、モータ６１と、回転位置検出センサ６４とに接続されている。
【００４４】
入力部８は、例えば、操作キーを備え、使用者の操作指示を制御部７に伝える。また、入力部８は、表示画面を備え、制御部７からの様々な情報を表示画面に表示するようにしてもよい。
電極部９は、第１の電極２２及び第２の電極２４に接続され、第１の電極２２と第２の電極２４との間に所定の電圧を印加する。
【００４５】
制御部７は、ＲＯＭ７１と、ＲＡＭ７２と、Ｉ／Ｏポート７３と、ＣＰＵ（Central Processing Unit)７４と、バス７５とを備えている。
ＲＯＭ７１は、ＣＰＵ７４の動作プログラム等を記憶する記録媒体である。
ＲＡＭ７２は、ＣＰＵ７４のワークエリアなどとして機能する。
Ｉ／Ｏポート７３は、入力部８と、電極部９と、モータ６１、回転位置検出センサ６４などに接続され、データや信号の入出力を制御する。
【００４６】
ＣＰＵ７４は、制御部７０の中枢を構成し、ＲＯＭ７１に記憶された制御プログラムを実行し、入力部８からの指示に従って、表示装置１の各部の動作を制御する。ＣＰＵ７４は、例えば、回転位置検出センサ６４に第２の偏光板５の回転位置を検出させ、検出した回転位置に基づいて、モータ６１を駆動させ、入力部８により設定された位置となるように偏光板５を回転させる。
バス７５は、各部の間で情報を伝達する。
【００４７】
このように構成された表示装置１では、以下のようにして、第２の偏光板５（及び第１の位相差板４）が回転される。まず、使用者が入力部８を操作して回転させる位置、例えば、角度αの値を指定する。角度αの値が指定されると、制御部７のＣＰＵ７４は、回転位置検出センサ６４に第２の偏光板５の回転位置を検出させ、検出した回転位置に基づいて、第２の偏光板５の回転量を決定する。ＣＰＵ７４は、回転機構６のモータ６１を駆動させ、決定した回転量に応じてモータ６１のモータ軸を回転させる。モータ６１のモータ軸が回転すると、モータ軸に接続された駆動ローラ６２が回転し、この回転に伴って、第２の偏光板５がガイドローラ６３にガイドされた状態で回転する。これにより、角度αが指定された値となる位置まで第２の偏光板５を回転させる。
【００４８】
なお、本実施の形態では、第１の位相差板４と第２の偏光板５とが貼り合わされていることから、第２の偏光板５が回転すると、第１の位相差板４も第２の偏光板５と共に回転する。このため、第２の偏光板５（及び第１の位相差板４）を回転させることにより、角度β＝４５度を維持した状態で角度αの値を変化させることができる。また、第１の位相差板４を回転させるための回転機構を設ける必要がないので、回転機構の構造を比較的簡単にすることができる。
【００４９】
そして、ＣＰＵ７４により電極部９が制御され、表示パネル２の第１の電極２２と第２の電極２４との間に所定の電圧が印加されると、有機ＥＬ層２３に流れる電流量に応じて光が発生する。この際、角度αの値に応じて、所定の波長の透過率が高くなり、表示装置１の表示色が所定の色となる。
【００５０】
以上、説明したように、本実施の形態によれば、回転機構６により第１の位相差板４及び第２の偏光板５を回転させ、第２の偏光板５の透過軸５１と第１の偏光板３の透過軸３１との角度αを変えることにより、表示装置１の表示色を変更することができる。このように、第１の位相差板４及び第２の偏光板５を回転させるだけで表示色（発光色）を変更することができ、比較的簡単な構成で、表示色を変更することができる。
【００５１】
（第２の実施の形態）
第１の実施の形態では、有機ＥＬ素子による表示パネル２上に、第１の偏光板３、第１の位相差板４、及び、第２の偏光板５が設けられた表示装置１を例に本発明を説明した。本実施の形態では、図８に示すように、さらに、表示パネル２と第１の偏光板３との間に第２の位相差板（λ／４板）１２が設けられた表示装置１１を例に本発明を説明する。なお、本実施の形態では、第１の実施の形態と同一の部材については同一の符号を付し、その説明を省略する。
【００５２】
図８は、本発明の第２の実施の形態の表示装置１１の構成を示す図である。図８に示すように、表示装置１１は、表示パネル２と、第１の偏光板３と、第１の位相差板４と、第２の偏光板５と、第２の位相差板１２と、を備えている。
【００５３】
第２の位相差板１２は、表示パネル２（第２の基板２５）上に形成されている。第２の位相差板１２は、第１の位相差板４と同様に、進相軸方向の屈折率が遅相軸方向の屈折率より小さい、いわゆる複屈折性を有する。第２の位相差板１２は、第１の位相差板４と同様に、例えば、ポリカーボネート（ＰＣ）、ポリビニルアルコール（ＰＶＡ）等の高分子材料からなるフィルムを一軸延伸して、延伸倍率によって延伸方向及びその直角方向の屈折率とフィルム厚を調整し、位相差値をコントロールした位相フィルムなどが用いられる。
【００５４】
また、第２の位相差板１２は、第２の位相差板１２への入射光の波長をλとしたとき、そのリタデーション（位相差）が約λ／４となるように設定されている。すなわち、第２の位相差板１２として、いわゆるλ／４板が用いられる。このように、第２の位相差板１２にλ／４板を用いることにより、第２の位相差板１２と第１の偏光板３とで入射光を円偏光に変換する円偏光板を構成する。このため、外光が金属材料からなる陰極で反射した反射光を完全に遮断することができ、発光部分の画像のコントラストの低下を防止することができる。
【００５５】
以上のように構成された表示装置１１では、表示パネル２の第１の電極２２と第２の電極２４との間に所定の電圧が印加されると、有機ＥＬ層２３に流れる電流量に応じて光が発生し、直接的に、または、第１の電極２２で反射して間接的に、表示パネル２上の第２の位相差板１２に入射される。第２の位相差板１２に光が入射されると、第２の位相差板１２では円偏光が生じ、この円偏光が第１の偏光板３に入射される。第１の偏光板３に入射された光は、第１の偏光板３の透過軸３１方向の直線偏光のみを第１の位相差板４に入射する。
【００５６】
ここで、第２の位相差板１２にλ／４板を用いているので、第１の偏光板３と第２の位相差板１２とで入射光を円偏光に変換する円偏光板を構成し、外光の反射光を完全に遮断することができる。このため、発光部分の画像のコントラストの低下を防止することができる。
【００５７】
第１の位相差板４に光が入射されると、第１の位相差板４では楕円・円偏光が生じ、この偏光が第２の偏光板５に入射される。第２の偏光板５に入射された光は、第２の偏光板５の透過軸５１方向の直線偏光のみが第２の偏光板５を通過する。これにより、表示装置１１の表示面に所定の表示色が表示される。
【００５８】
この状態から、表示装置１の表示色を変更する場合、第１の実施の形態と同様に、第１の位相差板４及び第２の偏光板５の取り付け角度を変える。この第１の位相差板４及び第２の偏光板５の角度を変える方法としては、例えば、第１の実施の形態のような回転機構６第２の偏光板５に取り付ける方法がある。この場合、制御部７がモータ６１及び回転位置検出センサ６４を制御することにより、表示装置１１の表示色を変更することができる。
【００５９】
なお、本実施の形態の表示装置１１では、第１の実施の形態と同様に、第１の位相差板４と第２の偏光板５とが貼り合わされている。このため、表示装置１１の制御部７０（ＣＰＵ７４）が回転機構６（モータ６１）及び回転位置検出センサ６４を制御して第２の偏光板５を回転することにより、第１の位相差板４も同時に回転する。したがって、第１の実施の形態と同様に、角度β＝４５度を維持した状態で角度αの値を変化させることができる。また、第１の位相差板４を回転させるための回転機構を設ける必要がないので、回転機構の構造を簡単にすることができる。
【００６０】
以上説明したように、本実施の形態によれば、第１の実施の形態と同様に、簡単な構成で、表示色を変更することができる。さらに、本実施の形態によれば、外光の反射光を完全に遮断することができ、発光部分の画像のコントラストの低下を防止することができる。
【００６１】
なお、本発明は、上記の実施の形態に限られず、種々の変形、応用が可能である。以下、本発明に適用可能な他の実施の形態について説明する。
【００６２】
上記実施の形態では、角度βの値を変えることなく第１の位相差板４と第２の偏光板５とを回転させることから、第１の位相差板４と第２の偏光板５とが貼り合わされている場合を例に本発明を説明したが、本発明はこれに限るものではなく、第１の位相差板４と第２の偏光板５とが貼り合わされておらず、第１の位相差板４と第２の偏光板５とが、各々、回転可能に構成されているものであってもよい。
【００６３】
また、上記各実施の形態では、第１の偏光板３は固定され、第１の位相差板４と第２の偏光板５とを、角度βの値を一定に保って、角度αの値を所望の値に変えるように回転可能とする構成としたが、これに限るものではなく、例えば、第１の実施の形態において、第１の位相差板４と第２の偏光板５を固定し、第１の偏光板３を回転可能とすることにより、角度βの値を変えることなく角度αの値を変えることができるようにして、表示装置１の表示色を変更可能としてもよい。この場合、例えば、第１の位相差板４及び第２の偏光板５には回転機構６を取り付けずに、第１の偏光板３に回転機構６を取り付けることにより第１の偏光板３を回転可能とするようにしてもよく、この場合においても、比較的簡単な構成で、表示装置１の表示色を変更することができる。
【００６４】
また、第２の実施の形態では、第２の位相差板１２と第１の偏光板３とで円偏光板を構成することから、第１の偏光板３及び第２の位相差板１２を回転可能として、表示装置１１の表示色を変更可能としてもよい。この場合に、比較的簡単な構成で、表示装置１１の表示色を変更可能とすることができる。また、この場合、外光の反射光を完全に遮断することができて、発光部分の画像のコントラストの低下を防止することができる。
【００６５】
また、上記各実施の形態では、角度αの値を変えるための構成として、第２の偏光板５等に回転機構６を取り付け、第２の偏光板５等を外部からの制御によって回転させる構成を備えるものとしたが、本発明は、第２の偏光板５の透過軸５１と第１の偏光板３の透過軸３１との角度αを変えることにより、表示装置１の表示色を変更することができるものであればよく、回転機構６を有していないものであってもよい。この場合、例えば、第２の偏光板５等を手動で回転可能として、手動で第２の偏光板５等を回転させることにより表示装置１の表示色を変更可能とすることができる。
【００６６】
また、回転機構６としては、第２の偏光板５等を回転させることが可能なものであればよく、種々の構造のものを適用可能であり、モータ６１、駆動ローラ６２、ガイドローラ６３、及び、回転位置検出センサ６４を備えるものに限定されるものではない。
【００６７】
また、上記実施の形態では、発光素子が有機ＥＬ素子である場合を例に本発明を説明したが、本発明は様々な発光素子に適用可能であり、発光素子は有機ＥＬ素子に限定されるものではない。
【図面の簡単な説明】
【００６８】
【図１】本発明の第１の実施の形態の表示装置の構成を示す図である。
【図２】位相差板の波長と複屈折性との関係を示すグラフである。
【図３】第１の偏光板と第１の位相差板と第２の偏光板との配置を説明するための図である。
【図４】角度αを変化させた場合の波長と透過率との関係を示すグラフである。
【図５】角度αを変化させた場合の波長と透過率との関係を示すグラフである。
【図６】回転機構の一例を示す図である。
【図７】制御部の構成を示す図である。
【図８】第２の実施の形態の表示装置の構成を示す図である。
【符号の説明】
【００６９】
１・・・表示装置、２・・・表示パネル、３・・・第１の偏光板、４・・・第１の位相差板、５・・・第２の偏光板、６・・・回転機構、７・・・制御部、３１・・・透過軸、４１・・・進相軸、５１・・・透過軸
【図１】
0004867853.tif 000002
【図２】
0004867853.tif 000003
【図３】
0004867853.tif 000004
【図４】
0004867853.tif 000005
【図５】
0004867853.tif 000006
【図６】
0004867853.tif 000007
【図７】
0004867853.tif 000008
【図８】
0004867853.tif 000009